(57)【要約】      （修正有）【課題】便器本体をコンパクトに折り畳むことができ、また、リサイクルも可能な組立式簡易トイレを提供する。【解決手段】便座３と、該便座３を支持する便器本体４と、該便器本体４の下部に設ける底板５と、便器本体４の下端外周を締めるバンド６と、排便収容袋とを備えた組立式簡易トイレであって、便座３は、底面側に面ファスナー１１ａを接着し、便器本体４は、長方形状をなし、短手方向に複数の折り曲げ線を形成してなり、該折り曲げ線部で折り曲げて全体を略馬蹄形乃至Ｕ字形となし、便座３の底面側の面ファスナー１１ａに対応する部位の上端面部に面ファスナー１１ｂを接着してあり、底板５は、便器本体４の内周形状に対応する形状の底板本体１５に折り曲げ線１６を介して側板１７を連設してなり、側板１７を折り曲げて便器本体４内の底部に設置し、便座３は発泡樹脂板により、便器本体４及び底板５はプラスチック段ボール材により形成した。【選択図】図４
0003208670.tif 000002
【実用新案登録請求の範囲】
【請求項１】
中央部に便座孔を形成した便座と、該便座を支持する便器本体と、該便器本体の下部に設ける底板と、便器本体の下端外周を締めるバンドと、便器本体内に設置され排便を収容する排便収容袋とを備えた組立式簡易トイレであって、前記便座は、底面側の周部に雌型又は雄型面ファスナーを接着し、後部に連結具挿通孔を設けてあり、前記便器本体は、展開状態において長方形状をなし、短手方向に複数の折り曲げ線を形成してなり、該折り曲げ線部で折り曲げて全体を略馬蹄形乃至Ｕ字形となし、全体を馬蹄形乃至Ｕ字形に折り曲げた際に、前記便座の底面側に接着された雌型又は雄型面ファスナーに対応する部位の上端面部に雄型又は雌型面ファスナーを接着してあり、前記底板は、展開状態において馬蹄形乃至Ｕ字形をなす便器本体の内周形状に対応する形状の底板本体に折り曲げ線を介して側板を連設してなり、側板を折り曲げ線部で折り曲げて便器本体内の底部に設置し、前記便座は発泡樹脂板により、前記便器本体及び底板はプラスチック段ボール材により形成したことを特徴とする組立式簡易トイレ。
【請求項２】
孔径の小さな便座孔が形成された子供用便座を便座上に載置可能に連結した請求項１に記載の組立式簡易トイレ。
【請求項３】
便器本体の両側部の上端部を一部切欠いた切欠き部を形成するとともに、トイレットペーパーを回転自在に支持する軸部の一端側に便器本体支持部を形成し、軸部の他端側にストッパーを形成したトイレットペーパーホルダーを設け、便器本体の前記切欠き部にトイレットペーパーホルダーの前記便器本体支持部を係合させてトイレットペーパーホルダーを便器本体に取り付け可能とした請求項１又は２に記載の組立式簡易トイレ。
【請求項４】
便器本体の側壁にフック挿通孔を形成するとともに、展開図において方形状の前面板の左右に折り曲げ線を介して側面板を連設し、該側面板の左右端部にフックをそれぞれ形成し、前記前面板の下に折り曲げ線を介して底板を連設し、該底板の下端部にフックを形成したサイドポケットを設け、前記折り曲げ線を介して左右の側面板及び底板を折り曲げ、前記各フックを前記フック挿通孔に挿通して便器本体の側壁にサイドポケットを取り付けた請求項１〜３のいずれか１項に記載の組立式簡易トイレ。
【請求項５】
底板上に載置され内部に所定の空間を形成し、その天板で排便収容袋の底面を支持し、前部が開口する空間保持体を備えた請求項１〜４のいずれか１項に記載の組立式簡易トイレ。
【請求項６】
全体を馬蹄形乃至Ｕ字形に折り曲げた際の便器本体の左右両前端部の下端部及び後部の左右折り曲げ線の下端部にバンドの幅に対応する切込みを形成した請求項１〜５のいずれか１項に記載の組立式簡易トイレ。
【考案の詳細な説明】
【技術分野】
【０００１】
本考案は、地震等の災害時や常設トイレが使用できない場合に簡単に組み立てて使用できるようにした組立式簡易トイレに関する。
【背景技術】
【０００２】
従来、災害時やアウトドアライフなどにおいて、簡単に組み立てて使用でき、子供でも使用し易い簡易トイレがある。この簡易トイレは、上部及び下部が開口した胴部と、該胴部の下部に設けられる底板と、胴部の上部に設けられる便座部材と、胴部内に配置される排便収納用の袋とからなる組立式の簡易トイレであって、便座部材は、胴部の上部に組み付ける第１便座部と、該第１便座部の一端部にヒンジ部を介して折曲げ自在に連設した第２便座部と、第１便座部の他端部にヒンジ部を介して折曲げ自在に連設した蓋部とを有すると共に、小さめな中央孔が形成された子供用便座をセット自在に備えたものである（特許文献１）。
【０００３】
しかし、胴部が筒状部材により形成されているため、折り畳んだ際にどうしても面積が広くなってしまう。また、胴部や便座等を構成する資材を紙製段ボールに樹脂を含浸させたものを使用しているため、リサイクルが困難で、使用後は廃棄処分することになり、資源の有効活用に支障があるものであった。
【先行技術文献】
【特許文献】
【０００４】
【特許文献１】実用新案登録第３１３５８０９号公報
【考案の概要】
【考案が解決しようとする課題】
【０００５】
そこで、本考案は、便器本体をコンパクトに折り畳むことができ、また、リサイクルも可能な組立式簡易トイレを提供することを目的とする。
【課題を解決するための手段】
【０００６】
上記の課題を解決するために、請求項１に係る組立式簡易トイレは、中央部に便座孔を形成した便座と、該便座を支持する便器本体と、該便器本体の下部に設ける底板と、便器本体の下端外周を締めるバンドと、便器本体内に設置され排便を収容する排便収容袋とを備えた組立式簡易トイレであって、前記便座は、底面側の周部に雌型又は雄型面ファスナーを接着し、後部に連結具挿通孔を設けてあり、前記便器本体は、展開状態において長方形状をなし、短手方向に複数の折り曲げ線を形成してなり、該折り曲げ線部で折り曲げて全体を略馬蹄形乃至Ｕ字形となし、全体を馬蹄形乃至Ｕ字形に折り曲げた際に、前記便座の底面側に接着された雌型又は雄型面ファスナーに対応する部位の上端面部に雄型又は雌型面ファスナーを接着してあり、前記底板は、展開状態において馬蹄形乃至Ｕ字形をなす便器本体の内周形状に対応する形状の底板本体に折り曲げ線を介して側板を連設してなり、側板を折り曲げ線部で折り曲げて便器本体内の底部に設置し、前記便座は発泡樹脂板により、前記便器本体及び底板はプラスチック段ボール材により形成したこと、を特徴としている。
請求項２に係る組立式簡易トイレは、孔径の小さな便座孔が形成された子供用便座を便座上に載置可能に連結したものである。
請求項３に係る組立式簡易トイレは、便器本体の両側部の上端部を一部切欠いた切欠き部を形成するとともに、トイレットペーパーを回転自在に支持する軸部の一端側に便器本体支持部を形成し、軸部の他端側にストッパーを形成したトイレットペーパーホルダーを設け、便器本体の前記切欠き部にトイレットペーパーホルダーの前記便器本体支持部を係合させてトイレットペーパーホルダーを便器本体に取り付け可能としたものである。
請求項４に係る組立式簡易トイレは、便器本体の側壁にフック挿通孔を形成するとともに、展開図において方形状の前面板の左右に折り曲げ線を介して側面板を連設し、該側面板の左右端部にフックをそれぞれ形成し、前記前面板の下に折り曲げ線を介して底板を連設し、該底板の下端部にフックを形成したサイドポケットを設け、前記折り曲げ線を介して左右の側面板及び底板を折り曲げ、前記各フックを前記フック挿通孔に挿通して便器本体の側壁にサイドポケットを取り付けたものである。
請求項５に係る組立式簡易トイレは、底板上に載置され内部に所定の空間を形成し、その天板で排便収容袋の底面を支持し、前部が開口する空間保持体を備えたものである。
請求項６に係る組立式簡易トイレは、全体を馬蹄形乃至Ｕ字形に折り曲げた際の便器本体の左右両前端部の下端部及び後部の左右折り曲げ線の下端部にバンドの幅に対応する切込みを形成したものである。
【考案の効果】
【０００７】
請求項１に係る考案は、便器本体が展開状態において長方形状をなし、短手方向に複数の折り曲げ線を形成してなるので、便器本体をコンパクト折り畳むことができる。また、便座は発泡樹脂板により、便器本体及び底板はプラスチック段ボール材により形成したので、リサイクルが可能で、資源の有効利用に資する。
請求項２に係る考案は、孔径の小さな便座孔が形成された子供用便座を便座上に載置可能に連結したので、お尻の小さな子供やお年寄りが使用する際に便利である。
請求項３に係る考案は、便器本体の両側部の上端部を一部切欠いた切欠き部を形成するとともに、トイレットペーパーを回転自在に支持する軸部の一端側に便器本体支持部を形成し、軸部の他端側にストッパーを形成したトイレットペーパーホルダーを設け、便器本体の前記切欠き部にトイレットペーパーホルダーの前記便器本体支持部を係合させてトイレットペーパーホルダーを便器本体に取り付け可能としたので、便器本体の側部にトイレットペーパーを保持でき使用の際に便利で、使い勝手がよい。
請求項４に係る考案は、便器本体の側壁にフック挿通孔を形成するとともに、展開図において方形状の前面板の左右に折り曲げ線を介して側面板を連設し、該側面板の左右端部にフックをそれぞれ形成し、前記前面板の下に折り曲げ線を介して底板を連設し、該底板の下端部にフックを形成したサイドポケットを設け、前記折り曲げ線を介して左右の側面板及び底板を折り曲げ、前記各フックを前記フック挿通孔に挿通して便器本体の側壁にサイドポケットを取り付けたので、小さく折り畳んだ排便収容袋や姿隠し用のポンチョ、携帯電話等の小物を収容でき便利である。
請求項５に係る考案は、底板上に載置され内部に所定の空間を形成し、その天板で排便収容袋の底面を支持し、前部が開口する空間保持体を備えたので、その天板で排便収容袋の底面を支持してその落下を防止できる。また、内部の空間にトイレットペーパーを収容して便器本体の内部空間の有効利用が可能となる。
請求項６に係る考案は、全体を馬蹄形乃至Ｕ字形に折り曲げた際の便器本体の左右両前端部の下端部及び後部の左右折り曲げ線の下端部にバンドの幅に対応する切込みを形成したので、該切込み部にバンドを通すことにより、バンドのズレが防止されることになる。
【図面の簡単な説明】
【０００８】
【図１】本考案の実施例による組立式簡易トイレの斜視図である。
【図２】本考案の他の実施例による組立式簡易トイレの斜視図である。
【図３】排便収容袋を設置した状態における図１相当の斜視図である。
【図４】本考案の実施例による組立式簡易トイレの各部の構成を示す斜視図である。
【図５】便座の平面図及び底面図である。
【図６】子供用便座の平面図である。
【図７】便器本体の展開状態の斜視図及び折り畳んだ状態の正面図である。
【図８】底板の展開状態の平面図である。
【図９】トイレットペーパーホルダーの側面図である。
【図１０】サイドポケットの展開状態の平面図である。
【図１１】空間保持体の展開状態の平面図である。
【図１２】図３のＸＩＩ−ＸＩＩ断面図である。
【考案を実施するための形態】
【０００９】
以下、本考案の実施の形態を図面に基づいて具体的に説明する。本考案の実施例による組立式簡易トイレ１は、中央部に便座孔２を形成した便座３と、該便座３を支持する便器本体４と、該便器本体４の下部に設ける底板５と、便器本体４の下端外周を締める環状のバンド６と、便器本体４内に設置され排便を収容する排便収容袋７とを備えたものである。さらに、トイレットペーパーホルダー８、サイドポケット９、空間保持体１０を備えることができる。
【００１０】
便座３は、中央部に楕円形状の便座孔２を形成してあり、底面側の周部に長方形状の雌型又は雄型の面ファスナー１１ａを適宜の間隔をあけて接着し、後部の２箇所に連結具挿通孔１２を設けてある。なお、各面ファスナー１１ａの間には、便器本体４を設置する位置を示す案内線１３を記してある。
【００１１】
便器本体４は、展開状態において長い長方形状（寸法は、４２０ｍｍ×９００ｍｍ程度、厚さ７ｍｍ程度）をなし、短手方向（上下方向）に複数（図７では１０箇所）の折り曲げ線１４を形成し、該折り曲げ線部１４で折り曲げて全体を略馬蹄形乃至Ｕ字形となし、その上に便座３を支持するものである。全体を馬蹄形に組み付けた際の前部の隙間３７は、トイレットペーパーを出し入れ可能な幅となっている。
折り曲げ線１４の内、全体を略３等分する２箇所の折り曲げ線部１４ａで大きく折り曲げることにより、図７（ｂ）に示すようにコンパクトに折り畳むことができる（寸法は、４２０ｍｍ×３３０ｍｍ程度、厚さ２１ｍｍ程度）。その厚さは便器本体４の厚さの３倍程度と、薄く折り畳むことができるので、セット全体の厚さも薄くコンパクトにできることになる。
便器本体４は、全体を馬蹄形乃至Ｕ字形に折り曲げた際に、便座３の底面側に接着された雌型又は雄型面ファスナー１１ａに対応する部位の上端面部に雄型又は雌型面ファスナー１１ｂを接着してある。
【００１２】
底板５は、展開状態において、馬蹄形乃至Ｕ字形をなす便器本体４の内周形状に対応する形状の底板本体１５、より具体的には、左右それぞれ５辺をなす側部辺、各側部辺より長い前部辺、前部辺よりさらに長い後部辺をもつ多角形状（１２角形状）の底板本体１５を設け、該底板本体１５の１辺置きに折り曲げ線１６を介して側板１７（１７ａ，１７ｂ）を連設したもので、側板１７（１７ａ，１７ｂ）を折り曲げ線部１６で折り曲げて便器本体４内の底部に設置する。前部側板１７ａは側部の側板１７より幅広に、また後部側板１７ｂは前部側板１７ａよりさらに幅広に形成してある。底板本体１５の中央部には作業用の補助孔１８を形成してある。
折り曲げ線部１６には切込みを入れず、側板１７（１７ａ，１７ｂ）を折り曲げた際に外側に反発するようにしておくとよい。これにより、便器本体４の下端周部にバンド６を掛けた際に、内側からは側板１７（１７ａ，１７ｂ）が外側に押しつけ、外側からはバンド６により内側に締め付けることになり、底板５は便器本体４の下端部に確実に固定されることになる。
【００１３】
便座３は発泡樹脂板、より具体的には、発泡ポリエチレン又は発泡ポリプロピレンからなる厚さ５〜１０ｍｍ程度の板材により形成する。適度な弾性を有し、便座３に腰かけた際に、適度に沈んで排便もし易いものとする。
便器本体４及び底板５はプラスチック段ボール材により形成する。これにより、軽量で、強度と耐久性、耐水性にも優れる。便器本体４に用いるプラスチック段ボール材は、上下方向に耐久性を有するようにリブ１９が上下方向に設けられたものを用いる。
これら、便器本体４、便座３、底板５はプラスチック材により形成されるので、リサイクル可能である。
【００１４】
便座３には、孔径の小さな便座孔２ａが形成された子供用便座３ａを連結することができる。通常の便座３と子供用便座３ａの後部の２箇所の対応する部位にそれぞれ連結具挿通孔１２を形成してあり、該挿通孔１２にカードリングなどの連結具２０を挿通して着脱可能に連結する。連結具挿通孔１２とカードリング２０などの簡単な連結具で連結すればよいので、きわめて簡素でコストもかからない。
このように、子供用便座３ａを通常の便座３上に載置可能に連結しておけば、通常の便座３の上に子供用便座３ａを重ねるだけで使用でき（図２）、お尻の小さな子供やお年寄りが使用する際に極めて便利である。
【００１５】
図９に示すトイレットペーパーホルダー８は、トイレットペーパー２１を回転自在に支持する軸部２２の一端側に便器本体支持部２３を形成し、軸部２２の他端側にストッパー２４を形成したもので、ステンレス棒などの金属棒を折り曲げて形成してある。なお、プラスチック材により形成してもよい。より具体的には、水平な軸部２２の一端側を上方に逆Ｕ字に屈曲させて便器本体支持部２３を形成し、軸部２２の他端側を上方に屈曲させてストッパー２４を形成してある。
一方、便器本体４の両側部の上端部を一部切欠いて切欠き部２５を形成してあり、いずれか一方の切欠き部２５のリブ１９間の空間に逆Ｕ字状の先端部２３を差込み、便器本体４側面にトイレットペーパーホルダー８を取り付けることができる。このように、トイレットペーパーホルダー８を備えれば、便器本体４の側部にトイレットペーパー２１を保持でき使用の際に便利で使い勝手がよい。
【００１６】
便器本体４の側壁には、サイドポケットのフック挿通孔（長孔）２６を形成してある。縦方向の長孔２６を上下左右に４箇所、横方向の長孔２６を下部２箇所の縦方向の長孔２６のやや下方の中間部に１箇所形成してある。
サイドポケット９は、図１０の展開図に示すように、正方形状の前面板２７の左右に折り曲げ線１６を介して側面板２８を連設し、該側面板２８の左辺の上下部及び右辺の上下部に鉤状のフック２９をそれぞれ形成し、前面板２７の下に折り曲げ線１６を介して底板３０を連設し、該底板３０の下辺の中央部に逆Ｔ字状のフック２９を形成したもので、折り曲げ線１６で左右の側面板２８及び底板３０を折り曲げて、フック２９を便器本体４の側壁に形成したフック挿通孔２６に挿通して便器本体４の側壁にサイドポケット９を取り付ける。
このように、サイドポケット９を備えれば、小さく折り畳んだ排便収容袋３１や姿隠し用のポンチョ３２、携帯電話等の小物を収容でき便利である。
なお、側面板２８は上辺を下辺より幅広に形成してあり、サイドポケット９を取り付けた際、上部開口を広くしてポケット９への小物の出し入れを容易にしてある。
【００１７】
図１１は空間保持体１０の展開図を示し、長方形状の天板３３の上下及び右に折り曲げ線１６を介して側板３４をそれぞれ連設したもので、折り曲げ線１６で側板３４を折り曲げて便器本体４内の底板５上に載せる。
底板５上に載置して内部に所定の空間３５を形成し、その天板３３で排便収容袋７の底面を支持し、前部が開口する空間保持体１０を備えれば、その天板３３で排便収容袋７の底面を支持してその落下を防止できる。また、内部空間３５にトイレットペーパー２１を収容して便器本体４の内部空間の有効利用が可能となる（図１２）。
なお、空間保持体１０を備えなくとも便器本体４の内部空間にトイレットペーパー２１を収容可能であるが、本空間保持体１０を備えれば、トイレットペーパー２１が直接排便収容袋７に触れることがないので、好ましい。
【００１８】
便器本体４の展開状態における左右両辺（全体を馬蹄形乃至Ｕ字形に折り曲げた際の便器本体の左右両前端部）の下端部及び馬蹄形乃至Ｕ字形に折り曲げた際の後部の左右折り曲げ線の下端部にバンド６の幅に対応する切込み３６を形成してある。該切込み部３６にバンド６を通すことにより、バンド６のズレが防止されることになり、便器本体４を確実に保持できる。
【００１９】
排便収容袋７は、ビニール製やポリエチレン製の不透明なプラスチックフィルムを袋状に形成したもので、必要により、使用の際に吸水マット、消臭マットを底部にセットし、又は粉末状又は顆粒状の凝固剤や消臭剤を投入して使用してもよい。
【００２０】
上記の空間保持体１０はプラスチック段ボールにより、サイドポケット９は発泡樹脂板により形成してあり、いずれもリサイクル可能である。
【００２１】
次に、上記した各構成部材を用いて簡易トイレ１を組立てる手順の一例を説明する。先ず、トイレットペーパーホルダー８の便器本体支持部２３の先端部を便器本体４に形成した左右いずれか一方の切欠き部２５のリブ１９間の空間に挿通する。次に、便座３の底面を上にして該底面に印した案内線１３に沿って便器本体４を配置して馬蹄形状に組み付ける。このとき、便座３の底面に接着した面ファスナー１１ａと便器本体４の上端面に接着した面ファスナー１１ｂとが係合して、便座３に便器本体４が組み付けられる。次いで、バンド６を便器本体４の外周に掛ける。次に、前部の隙間３９から底板５を便器本体４内に入れ、底板５の側板１７を折り曲げて便器本体４の底部にセットする。このとき、補助孔１８に指を挿入して作業すれば、セット作業がスムーズに行える。次いで、バンド６を便器本体４の下部の切込み部３８に配置して、便器本体４の下部と底板５とを確実に固定する。
便器本体４の側壁のフック挿通孔２６にサイドポケット９の対応するフック２９を掛けて便器本体４の側壁にサイドポケット９を取り付ける。また、通常の便座３の上に子供用便座３ａを載せ、連結具挿通孔１２にカードリング２０を挿通して通常の便座３上に子供用の便座３ａを連結する。前部の隙間３７又は便座孔２から空間保持体１０を便器本体４内に入れ、側板３４を折り曲げて便器本体４内の底板５上に載せる。こうして、簡易トイレ１の組立が略完了する。組立てた簡易トイレ１を水平な場所に設置する。トイレットペーパー２１を前部の隙間３７から便器本体４内へ入れ、空間保持体１０の内部空間３５に配置しておく。
使用の際は、トイレットペーパーホルダー８にトイレットペーパー２１をセットし、便座３の便座孔２から排便収容袋７を便器本体４内に入れ内部で広げ、袋７の上端部を便座３の上面を覆うようにして折り返し、便座３に排便収容袋７をセットする。必要により姿隠し用のポンチョを被って用便する。使用後は、排便収容袋７を取り出し、空気を抜いて袋の口を縛って、廃棄処分する。
【００２２】
子供用便座３ａを使用する場合は、子供用便座３ａを通常の便座３上に重ねて設置し、上記と同様に排便収容袋７をセットする。又は、通常の便座３上に排便収容袋７をセットし、その上に子供用便座３ａを設置するようにしてもよい。この場合は、排便収容袋７に直接触れないので、肌触りが良好となる。
【００２３】
図２に示した他の実施例による組立式簡易トイレ１は、トイレットペーパーホルダー８を便器本体４の左側の側面に取り付けたこと、の他は上記実施例と同様である。
【００２４】
なお、便座３（又は子供用便座３ａ）上に蓋（図示せず）を連結するようにしてもよい。蓋を有すれば、見た目もよくなる。
【符号の説明】
【００２５】
１  組立式簡易トイレ
２  便座孔
３  便座
３ａ  子供用便座
４  便器本体
５  底板
６  バンド
７  排便収容袋
８  トイレットペーパーホルダー
９  サイドポケット
１０  空間保持体
１１ａ，１１ｂ  面ファスナー
１２  連結具挿通孔
１３  案内線
１４，１４ａ  折り曲げ線
１５  底板本体
１６  折り曲げ線
１７，１７ａ，１７ｂ  側板
１８  補助孔
１９  リブ
２０  連結具（カードリング）
２１  トイレットペーパー
２２  軸部
２３  便器本体支持部
２４  ストッパー
２５  切欠き部
２６  フック挿通孔（長孔）
２７  前面板
２８  側面板
２９  フック
３０  底板
３１  畳んだ排便収容袋
３２  畳んだ姿隠し用のポンチョ
３３  天板
３４  側板
３５  内部空間
３６  切込み
３７  隙間
【図１】
0003208670.tif 000003
【図２】
0003208670.tif 000004
【図３】
0003208670.tif 000005
【図４】
0003208670.tif 000006
【図５】
0003208670.tif 000007
【図６】
0003208670.tif 000008
【図７】
0003208670.tif 000009
【図８】
0003208670.tif 000010
【図９】
0003208670.tif 000011
【図１０】
0003208670.tif 000012
【図１１】
0003208670.tif 000013
【図１２】
0003208670.tif 000014